(57)【要約】 【課題】  指示機構（４６））により指示された情報を修正する時計の情報修正装置を提供する。【解決手段】  本発明の時計は、内部空間（８）を規定するケース（１）を有し、ケース（１）の内部空間（８）外に配置され、ユーザにより駆動される制御レバー（１４）と、前記ケース（１）の内部空間（８）内に配置され、修正すべき情報を提供する指示機構（４６）と共働する駆動レバー（１６）とを有し、前記制御レバー（１４）と駆動レバー（１６）は、ステム（２０）で結合される。【選択図】  図１
2007530930.tif 000002
【特許請求の範囲】
【請求項１】
駆動レバー（１６）により指示された情報を修正する時計の情報修正装置において、
前記時計は、内部空間（８）を規定するケース（１）を有し、
（ａ）  ケース（１）の内部空間（８）外に配置され、ユーザにより駆動される制御レバー（１４）と、
（ｂ）  前記ケース（１）の内部空間（８）内に配置され、修正すべき情報を提供する指示機構（４６）と共働する駆動レバー（１６）と
を有し、
前記制御レバー（１４）と駆動レバー（１６）は、接続部材（１８）で結合され、
前記接続部材（１８）は、中心軸（Ｘ−Ｘ）の周囲を回転し、
前記制御レバー（１４）と駆動レバー（１６）は、別の面に延び、
前記制御レバー（１４）は、ケース（１）のラグ（４４）内に配置されたへこみ（４２）内に収納される
ことを特徴とする時計の情報修正装置。
【請求項２】
前記中心軸（Ｘ−Ｘ）は、時計のムーブメント（１０）が延びる中間面（Ｐ）に直交して延びる
ことを特徴とする請求項１記載の時計の情報修正装置。
【請求項３】
前記制御レバー（１４）と駆動レバー（１６）は、ステム（２０）で結合される
ことを特徴とする請求項１または２に記載の時計の情報修正装置。
【請求項４】
前記ステム（２０）は、前記制御レバー（１４）と駆動レバー（１６）に形成された２個の凹状矩形穴（２６、２８）に係合する２個の凸状矩形部（２２、２４）を具備する
ことを特徴とする請求項３記載の時計の情報修正装置。
【請求項５】
前記駆動レバー（１６）は、前記ステム（２０）に、柔軟リング（３４）により軸方向で固定される
ことを特徴とする請求項４記載の時計の情報修正装置。
【請求項６】
前記ステム（２０）は、シール用ガスケット（３２）を収納する溝（３０）を有する
ことを特徴とする請求項１−３のいずれかに記載の時計の情報修正装置。
【請求項７】
前記駆動レバー（１６）は、指示機構（４６）と噛み合う修正レバー（４８）と協働する
ことを特徴とする請求項１−６のいずれかに記載の時計の情報修正装置。
【請求項８】
前記修正レバー（４８）は、復帰力を駆動レバー（１６）にかける
ことを特徴とする請求項７記載の時計の情報修正装置。
【発明の詳細な説明】
【技術分野】
【０００１】
本発明は、指示機構により提供される情報を修正する、例えば腕時計のような時計の情報修正装置に関する。
【背景技術】
【０００２】
ある種の時計、特に複雑機構を具備した時計は、多数の機能を有し、１個の竜頭だけで全てを修正することができない。そのために、追加的な制御手段、例えばプッシュ・ボタンが使用される。このようなプッシュ・ボタンの中でも、次のような小型のプッシュ・ボタンが公知である。このプッシュ・ボタンは、ソケットと円筒状シャフトを有する。ソケットは、時計の中間部分に形成された開口内に組み込まれ、あるいは結合される。円筒状シャフトはソケット内に自由にスライドできる単一部品から形成される。このシャフトは、第１部分と第２部分とを有し、第１部分は、ソケットの内側端部に配置された開口を貫通し、第２部分は、第１部分の直径より大きな直径を有し、ソケットの内側壁と共働するソール用ガスケットを収納する溝を有する。この種のプッシュ・ボタンは、らせん形状の復帰スプリング有する。このような構造の修正動作は、ステム（軸）をソケット内に、例えばボールベンのような尖った先端を有する手段で押し込むことにより行われる。押し込む間、プッシュ・ボタンのステム（軸）は、レバーに当たり、このレバーを介して修正が行われる。ステムを押すことによりスプリングを圧縮する。ステムの圧力が解放されると、ステムはスプリングの復帰力により静止位置に戻る。
【０００３】
この種のプッシュ・ボタンは、非常に小型であり、スペースを節約できる。さらに、プッシュ・ボタンは中間部分から突出してないために、偶発的に駆動されることがない。しかし、プッシュ・ボタンは、駆動するためにツール（例、ボールペン）の使用が必要となり魅力的ではないという欠点がある。
【発明の開示】
【発明が解決しようとする課題】
【０００４】
本発明の目的は、前記の欠点を解決することである。本発明は、従来技術の小型のプッシュ・ボタンに代わる情報を修正する時計用の修正装置を提供する。
【課題を解決するための手段】
【０００５】
本発明は、指示機構により指示された情報を修正する時計の情報修正装置に関し、時計は、内部空間を規定するケースを有し、このケースの内部空間外に配置され、ユーザにより駆動される制御レバーと、前記ケースの内部空間内に配置され、修正すべき情報を提供する指示機構と共働する駆動レバーとを有する。制御レバーと駆動レバーは、接続部材で結合される。接続部材は、その軸（Ｘ−Ｘ）を中心に回転する。制御レバーと駆動レバーは、別個の面に延びる。制御レバーは、ケースのラグ内に配置されたへこみ内に収納される。
【０００６】
このような特徴により、本発明は、時計の装着者が指または爪で簡単に駆動できるような修正装置を提供する。従って、如何なるツールもこのような修正動作には必要ない。時計の美的外観も、制御レバーが適宜の形状を有し、時計ケースの外径にマッチしている場合には、大幅に改善される。
【０００７】
本発明の他の特徴によれば、制御レバーと駆動レバーとは、ステムで連結される。
【０００８】
本発明による修正装置の構成手段は単純な構造であり、これにより、製造コストの削減と信頼性の高い操作が可能となる。
【実施例】
【０００９】
本発明は、指示機構により提供される情報を修正する修正装置を提供する。この修正装置は、特に複雑機構を具備した時計用のものであり、時計の美的外観を損なうことなく、且つ単純な構造を有する取り扱い易い修正装置を提供する。
【００１０】
図１は、１２時−６時の軸に沿った時計ケースの断面図である。ケース１は、中間部分２を有する。この中間部分２にベゼル４とバックカバー６が取り付けられる。本発明の変形例によれば、時計は、一体のシェル型、すなわち、中間部分２／ベゼル４の一体物または中間部分２／バックカバー６一体物で形成することもできる。かくして形成されたケース１は、内部空間８を形成し、この中にムーブメント１０が収納される。このムーブメント１０は、バックカバー６により規定される面に平行な中間面Ｐに沿って延びる。このムーブメント１０は、完全に機械的あるいは電源（図示せず）により電力が加えられる電気機械式のいずれでもよい。時計は、完全にデジタル型、例えば液晶表示装置を具備するタイプで、以下に述べるさらなる指示機構を有し、本発明による修正装置により修正されるべき情報を提供するものでもよい。
【００１１】
本発明の修正装置１２は、制御レバー１４と駆動レバー１６とを有し、それらは、対称（中心）軸Ｘ−Ｘの周囲を回転する接続部材１８により接続／結合される。図１、２に示す実施例においては、接続部材１８は、シリンダーの周囲に刻まれたステム２０の形態を採る。ステム２０の両端にケース１の内部空間８外に配置された制御レバー１４と、ケース１内に配置された駆動レバー１６とが固定される。
【００１２】
ステム２０は、一体部品で形成される。２個の凸状矩形部２２、２４がステム２０に機械加工で形成され、制御レバー１４と駆動レバー１６に具備された２個の凹状矩形穴２６、２８に係合する。その結果、制御レバー１４と駆動レバー１６は、ステム２０に対し、回転しないようになる。ステム２０は、シール用ガスケット３２を収納する溝３０を有する。下の方に向かって、ステム２０は、柔軟リン３４を搭載するために、直径が小さくなっている。この柔軟リン３４は、駆動レバー１６を軸方向に固定するために用いられる。
【００１３】
本発明の修正装置１２の搭載方法を次に述べる。シール用ガスケット３２を具備したステム２０が時計の中間部分２に形成された貫通孔３６内に挿入される。この貫通孔３６は、キャビティ３８と連通している。キャビティ３８は、中間部分２により規定された内部空間８の内側に向かって開いており、その形状と寸法は、駆動レバー１６を収納できるものである。キャビティ３８内に、駆動レバー１６の凹状矩形穴２８を具備した端部が導入されると、ステム２０は貫通孔３６に入れられる。ステム２０の凸状矩形部２４は、駆動レバー１６の凹状矩形穴２８を貫通する。その結果、駆動レバー１６は回転するステム２０に固定される。ステム２０を下方向えｈの移動は、ステム２０がキャビティ３８の底部４０に当たると、止まる。この時点で、柔軟リン３４はステム２０に係合し、駆動レバー１６をステム２０に対し軸方向に固定する。次の操作は、制御レバー１４をステム２０に搭載することである。これは、ステム２０の凸状矩形部２２を制御レバー１４の凹状矩形穴２６内に係合することにより行う。制御レバー１４は、かくしてステム２０に対し、回転しない。本発明の第１変形例によれば、制御レバー１４とステム２０は一体で構成される。第２変形例によれば、制御レバー１４はステム２０に溶接される。
【００１４】
図３に示す本発明の一実施例によれば、制御レバー１４は、ケース１のラグ４４の下側表面に配置されるへこみ４２内に収納される。制御レバー１４は、かくして、ケース１の表面から突出せずに、ケース１の美的外観を改善し、制御レバー１４が洋服の袖等に引っかかって偶発的駆動されるのを阻止する。
【００１５】
本発明の修正装置１２の対称（中心）軸Ｘ−Ｘは、図面ではムーブメント１０の面Ｐに直交する方向に延びる。本発明の変形例によれば、修正装置１２は、中間部品に半径方向で係合しながらムーブメント１０の面に平行に延びてもよい。
【００１６】
本発明の修正装置１２により、指示機構４６により示された表示を修正できる。修正すべき情報は、時間に関するものでもよく、また例えば、曜日またはムーンフェイズである。また情報は、時間に完全に無関係なものでもよい。このような場合、指示機構４６は、例えばゴルフのスコアを記録するカウンタでもよい。かくして、駆動レバー１６は、修正レバー４８と共働し、修正すべき情報を提供する指示機構４６と直接的または間接的に係合する。ユーザは、制御レバー１４を自分の指で制御できる。制御レバー１４の回転動作は、ステム２０により駆動レバー１６に伝達され、この駆動レバー１６が修正レバー４８を駆動する。修正レバー４８は、復帰力を修正装置１２に掛けて、制御レバー１４をその静止位置に戻す。
【００１７】
図３に示すよう制御レバーは、突起部であるスナグ５０を具備し、操作を容易にすることもできる。
【００１８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００１９】
【図１】本発明の修正装置を具備した時計ケースの、バンドが取り付けられるラグの１つを通る断面図。
【図２】制御レバーを駆動レバーに取り付けるステムの斜視図。
【図３】制御レバーがケースのラグの厚さ方向に形成された溝に収納された状態を示す時計ケースの斜視図。
【符号の説明】
【００２０】
１  時計ケース
２  中間部分
４  ベゼル
６  バックカバー
８  内部空間
１０  ムーブメント
１２  修正装置
１４  制御レバー
１６  駆動レバー
１８  接続部材
２０  ステム（軸）
２２，２４  凸状矩形部
２６，２８  凹状矩形穴
３０  溝
３２  シール用ガスケット
３４  柔軟リング
３６  貫通孔
３８  キャビティ
４０  底部
４２  へこみ
４４  ラグ
４６  指示機構
４８  修正レバー
５０  スナグ
【図１】
2007530930.tif 000003
【図２】
2007530930.tif 000004
【図３】
2007530930.tif 000005
【手続補正書】
【提出日】平成18年3月21日(2006.3.21)
【手続補正１】
【補正対象書類名】特許請求の範囲
【補正対象項目名】全文
【補正方法】変更
【補正の内容】
【特許請求の範囲】
【請求項１】
時計機構（４６）を駆動する時計の制御装置において、
前記時計は、内部空間（８）を規定するケース（１）を有し、
（ａ）  ケース（１）の内部空間（８）外に配置され、ユーザにより駆動される制御レバー（１４）と、
（ｂ）  前記ケース（１）の内部空間（８）内に配置され、前記時計機構（４６）と共働する駆動レバー（１６）と
を有し、
前記制御レバー（１４）と駆動レバー（１６）は、接続機構（１８）で結合され、
前記接続機構（１８）は、その軸（Ｘ−Ｘ）を中心に回転し、
前記制御レバー（１４）と駆動レバー（１６）とは、別個の面に延びる
ことを特徴とする時計の制御装置。
【請求項２】
前記制御レバー（１４）と駆動レバー（１６）は、ステム（２０）で結合される
ことを特徴とする請求項１記載の時計の制御装置。
【請求項３】
前記ステム（２０）は、前記制御レバー（１４）と駆動レバー（１６）に形成された２個の凹状矩形穴（２６、２８）に係合する２個の凸状矩形部（２２、２４）を具備する
ことを特徴とする請求項２記載の時計の制御装置。
【請求項４】
前記駆動レバー（１６）は、前記ステム（２０）に、柔軟リング（３４）により軸方向で固定される
ことを特徴とする請求項３記載の時計の制御装置。
【請求項５】
前記ステム（２０）は、シール用ガスケット（３２）を収納する溝（３０）を有する
ことを特徴とする請求項２−４のいずれかに記載の時計の制御装置。
【請求項６】
前記駆動レバー（１６）は、前記時計機構（４６）と噛み合う修正レバー（４８）と協働する
ことを特徴とする請求項１−５のいずれかに記載の時計の制御装置。
【請求項７】
前記修正レバー（４８）は、復帰力を駆動レバー（１６）にかける
ことを特徴とする請求項６記載の時計の制御装置。
【請求項８】
前記制御レバー（１４）は、ケース（１）のラグ（４４）内に配置されたへこみ（４２）内に収納される
前記修正レバー（４８）は、復帰力を駆動レバー（１６）にかける
ことを特徴とする請求項１−７のいずれかに記載の時計の制御装置。
【請求項９】
前記軸（Ｘ−Ｘ）は、時計のムーブメント（１０）が延びる中間面（Ｐ）に直交する
ことを特徴とする請求項１−８のいずれかに記載の時計の制御装置。
【手続補正書】
【提出日】平成19年3月16日(2007.3.16)
【手続補正２】
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
駆動レバー（１６）により指示された情報を修正する時計の情報修正装置において、
前記時計は、内部空間（８）を規定するケース（１）を有し、
（ａ）  ケース（１）の内部空間（８）外に配置され、ユーザにより駆動される制御レバー（１４）と、
（ｂ）  前記ケース（１）の内部空間（８）内に配置され、修正すべき情報を提供する指示機構（４６）と共働する駆動レバー（１６）と
を有し、
前記制御レバー（１４）と駆動レバー（１６）は、接続部材（１８）で結合され、
前記接続部材（１８）は、中心軸（Ｘ−Ｘ）の周囲を回転し、
前記制御レバー（１４）と駆動レバー（１６）は、別の面に延び、
前記制御レバー（１４）は、ケース（１）のラグ（４４）内に配置されたへこみ（４２）内に収納される
ことを特徴とする時計の情報修正装置。
【請求項２】
前記中心軸（Ｘ−Ｘ）は、時計のムーブメント（１０）が延びる中間面（Ｐ）に直交して延びる
ことを特徴とする請求項１記載の時計の情報修正装置。
【請求項３】
前記制御レバー（１４）と駆動レバー（１６）は、ステム（２０）で結合される
ことを特徴とする請求項１または２に記載の時計の情報修正装置。
【請求項４】
前記ステム（２０）は、前記制御レバー（１４）と駆動レバー（１６）に形成された２個の凹状矩形穴（２６、２８）に係合する２個の凸状矩形部（２２、２４）を具備する
ことを特徴とする請求項３記載の時計の情報修正装置。
【請求項５】
前記駆動レバー（１６）は、前記ステム（２０）に、柔軟リング（３４）により軸方向で固定される
ことを特徴とする請求項４記載の時計の情報修正装置。
【請求項６】
前記ステム（２０）は、シール用ガスケット（３２）を収納する溝（３０）を有する
ことを特徴とする請求項１−３のいずれかに記載の時計の情報修正装置。
【請求項７】
前記駆動レバー（１６）は、指示機構（４６）と噛み合う修正レバー（４８）と協働する
ことを特徴とする請求項１−６のいずれかに記載の時計の情報修正装置。
【請求項８】
前記修正レバー（４８）は、復帰力を駆動レバー（１６）にかける
ことを特徴とする請求項７記載の時計の情報修正装置。
【国際調査報告】
2007530930.tif 000006
2007530930.tif 000007
2007530930.tif 000008
2007530930.tif 000009